(57)【要約】【課題】同じ情報線に床用機能モジュールを介して接続された機能モジュールから、必要な情報信号を取り出すことが可能な床用配線システム及びそれを用いた建築物用配線システムを提供する。【解決手段】床用配線システムは、床に埋設した埋込ボックス９０ａの内部に収納され、床の裏側に先行配線された電力線Ｌ１および情報線Ｌ２にそれぞれ接続されている電力路接続口１３ａと情報路接続口１３ｂとを具備したゲート装置１と、ゲート装置１の各接続口１３ａ，１３ｂにそれぞれ接続されるコネクタを具備した機能モジュール２ａとで構成され、機能モジュール２ａは情報線Ｌ２を通じて通信系および映像系の情報信号を授受するモジュラコネクタ接続部２６と同軸コネクタ接続部２７とを備えている。【選択図】図１
2007150618.tif 000002
【特許請求の範囲】
【請求項１】
床に設けた取付孔に少なくとも一部を埋設した状態で取り付けられ、床の裏側に先行配線されて複数種類の機能モジュールに対応する情報信号を伝送するための情報線に接続される情報路接続口を具備した床用ゲート装置と、前記床用ゲート装置の情報路接続口に接続される情報用コネクタを具備した機能モジュールとで構成され、前記機能モジュールに、情報路接続口を介して接続される情報線を通じて所定の種類の情報信号を授受する情報用コンセントを設けたことを特徴とする床用配線システム。
【請求項２】
前記機能モジュールが前記情報用コンセントを複数備え、複数の情報用コンセントにより互いに異なる種類の情報信号を授受することを特徴とする請求項１記載の床用配線システム。
【請求項３】
前記床用ゲート装置に、床の裏側に先行配線された電力線に接続される電力路接続口を設けると共に、前記機能モジュールに、前記電力路接続口に接続される電力用コネクタと、当該電力用コネクタを通じて供給される電源を外部に供給するための電源用コンセントを設けたことを特徴とする請求項１又は２記載の床用配線システム。
【請求項４】
前記情報線が電力線からなり、前記電力線から前記床用ゲート装置を介して供給される電源より情報信号を分離して前記情報コンセントに出力するとともに、情報コンセントから入力された情報信号を電源に重畳し前記床用ゲート装置を介して電力線に出力する電力線搬送通信部を前記機能モジュールに設けたことを特徴とする請求項１又は２記載の床用配線システム。
【請求項５】
前記電力線から得た電源を外部負荷に供給する電源用コンセントを機能モジュールに設けたことを特徴とする請求項４記載の床用配線システム。
【請求項６】
前記機能モジュールが、床用ゲート装置の前記各接続口に接続される前記各コネクタを備えたコネクタ部と、前記各コンセントが設けられ前記コネクタ部にケーブルを介して接続されたコンセント部とで構成されることを特徴とする請求項１乃至５の何れかに記載の床用配線システム。
【請求項７】
請求項１乃至６の何れかに記載の床用配線システムを用いた建築物用配線システムであって、建物の壁又は天井の何れか、或いは、壁及び天井の両方に配設されて、前記情報線に接続される機能モジュールを設けたことを特徴とする建築物用配線システム。
【発明の詳細な説明】
【技術分野】
【０００１】
本発明は、情報信号を伝送するための床用配線システム及びそれを用いた建築物用配線システムに関するものである。
【背景技術】
【０００２】
従来より、ＬＡＮ配線に用いるモジュラジャックを備えて、床面に埋込配設される床用モジュラコンセントが提供されている（例えば特許文献１参照）。
【特許文献１】特開平５−３８０２３号公報
【発明の開示】
【発明が解決しようとする課題】
【０００３】
上述の床用モジュラコンセントでは、電話或いはＬＡＮの通信信号を取り出すことはできるが、同じ情報線に接続された任意のコンセントから、互いに種類が異なる情報信号を取り出すことはできないため、複数種類の情報信号を取り出すためには複数の情報線を配線して、各情報線にコンセントを接続する必要があった。
【０００４】
本発明は上記問題点に鑑みて為されたものであり、その目的とするところは、同じ情報線に床用機能モジュールを介して接続された機能モジュールから、必要な情報信号を取り出すことが可能な床用配線システム及びそれを用いた建築物用配線システムを提供することにある。
【課題を解決するための手段】
【０００５】
上記目的を達成するために、請求項１の発明は、床に設けた取付孔に少なくとも一部を埋設した状態で取り付けられ、床の裏側に先行配線されて複数種類の機能モジュールに対応する情報信号を伝送するための情報線に接続される情報路接続口を具備した床用ゲート装置と、床用ゲート装置の情報路接続口に接続される情報用コネクタを具備した機能モジュールとで構成され、機能モジュールに、情報路接続口を介して接続される情報線を通じて所定の種類の情報信号を授受する情報用コンセントを設けたことを特徴とする。
【０００６】
この発明によれば、情報線に接続された床用ゲート装置に機能モジュールを接続することにより、機能モジュールの情報コンセントを通じて必要な種類の情報信号を授受することができ、所望の機能を有する機能モジュールを選択して設置することができる。
【０００７】
請求項２の発明は、請求項１の発明において、機能モジュールが情報用コンセントを複数備え、複数の情報用コンセントにより互いに異なる種類の情報信号を授受することを特徴とする。
【０００８】
この発明によれば、機能モジュールを設置した場所で、複数種類の情報信号の授受を行うことができる。
【０００９】
請求項３の発明は、請求項１又は２の発明において、床用ゲート装置に、床の裏側に先行配線された電力線に接続される電力路接続口を設けると共に、機能モジュールに、電力路接続口に接続される電力用コネクタと、当該電力用コネクタを通じて供給される電源を外部に供給するための電源用コンセントを設けたことを特徴とする。
【００１０】
この発明によれば、情報信号の授受に加えて電源供給を行うことができるので、外部機器を動作させるのに必要な電源と情報信号とを同じ場所から取り出すことができる。
【００１１】
請求項４の発明は、請求項１又は２の発明において、情報線が電力線からなり、電力線から床用ゲート装置を介して供給される電源より情報信号を分離して情報コンセントに出力するとともに、情報コンセントから入力された情報信号を電源に重畳し床用ゲート装置を介して電力線に出力する電力線搬送通信部を機能モジュールに設けたことを特徴とする。
【００１２】
この発明によれば、情報信号の伝送を電力線搬送により行っているので、電力線で情報線を兼用でき、電線の数を減らすことで、配線施工を簡略化することができる。
【００１３】
請求項５の発明は、請求項４の発明において、電力線から得た電源を外部負荷に供給する電源用コンセントを機能モジュールに設けたことを特徴とする。
【００１４】
この発明によれば、情報信号の授受に加えて電源用コンセントから電源供給を行うことができるので、外部機器を動作させるのに必要な電源と情報信号とを同じ場所から取り出すことができる。
【００１５】
請求項６の発明は、請求項１乃至５の何れかの発明において、機能モジュールが、床用ゲート装置の各接続口に接続される各コネクタを備えたコネクタ部と、各コンセントが設けられコネクタ部にケーブルを介して接続されたコンセント部とで構成されることを特徴とする。
【００１６】
この発明によれば、コンセント部を必要な場所に移動させて使用することができ、使い勝手が向上する。
【００１７】
請求項７の発明は、請求項１乃至６の何れかに記載の床用配線システムを用いた建築物用配線システムであって、建物の壁又は天井の何れか、或いは、壁及び天井の両方に配設されて、情報線に接続される機能モジュールを設けたことを特徴とする。
【００１８】
この発明によれば、所望の機能を有する機能モジュールを、壁又は天井の何れか、或いは、壁及び天井の両方に配設することで、多種多様な機能を有するシステムを実現できる。
【発明の効果】
【００１９】
本発明によれば、情報線に接続された床用ゲート装置に機能モジュールを接続することにより、機能モジュールの情報コンセントを通じて必要な種類の情報信号を授受することができ、所望の機能を有する機能モジュールを選択して設置することができる。
【発明を実施するための最良の形態】
【００２０】
以下に本発明の実施の形態を図面に基づいて説明する。
【００２１】
（実施形態１）
図１に本発明に係る床用配線システムを用いた建物全体の配線システムのシステム構成を示す。この建築物用配線システムでは、建物内の床、壁、天井の適所において１乃至複数の埋込ボックス９０を埋込配設してあり、始端の埋込ボックス９０に対しては、屋外より配線盤６内に引き込まれ主幹ブレーカＭＢおよび分岐ブレーカＢＢを介して屋内に引き込まれた電力線Ｌ１と、外部のインターネット網ＮＴにゲートウェイＧＷ（ルータ、ハブ内蔵）を介して接続される情報線Ｌ２とを導入する。また各埋込ボックス９０の間は壁面内に先行配線された電力線Ｌ１と情報線Ｌ２とを送り配線してある。
【００２２】
ここで、床用の埋込ボックス９０ａは、図４に示すように、一面が開口した略箱状であって開口部９１を床表面側にして床内に取り付けられる。また埋込ボックス９０ａの開口部には、この埋込ボックス９０ａの開口部９１には、矩形状の器具取付孔９３を有するカバー９２が取着されている。また埋込ボックス９０ａには、配線盤６又は他の埋込ボックス９０から送り配線されてくる電力線Ｌ１及び情報線Ｌ２を何れかのノックアウト孔から導入するとともに、他の埋込ボックス９０へ送り配線するための電力線Ｌ１及び情報線Ｌ２を別のノックアウト孔から導出している。なお埋込ボックス９０には、図１及び図６に示すように室内の天井１００に設けられるものや、壁１０１に設けられるものもある。また埋込ボックス９０ａには、床に設けた開口を塞ぐようにしてフロアプレート９５が取着される。フロアプレート９５にはカバー９２の器具取付孔９３に対応して窓孔９６が貫設されており、この窓孔９６には蓋板９７が開閉自在に取り付けられている。
【００２３】
埋込ボックス９０ａの内部には、図４に示すように取付金具９４を用いて床用ゲート装置（以下、ゲート装置と略称する。）１が取り付けられる。ゲート装置１の器体１０は前面が略矩形状に形成され、前面を床表面側にして埋込ボックス９０ａ内に収納される。
【００２４】
また、器体１０の背面側には、例えば従来周知の速結端子構造を有する端子部１１ａ，１１ｂ，１２ａ，１２ｂが設けられており、端子部１１ａ，１１ｂには電力線Ｌ１が、端子部１２ａ，１２ｂには情報線Ｌ２が接続されるようになっている。なお、端子部１１ａ，１１ｂの何れか一方に接続される電力線Ｌ１は他の埋込ボックス９０への送り配線となる。また端子部１２ａ，１２ｂの何れか一方に接続される情報線Ｌ２も他の埋込ボックス９０への送り配線となる。
【００２５】
一方、器体１０の前面には、端子部１１ａ，１１ｂに電気的に接続された導電部を備えて、端子部１１ａ，１１ｂに接続される電力線Ｌ１を外部の電力路に接続するための電力路接続口１３ａと、端子部１２ａ，１２ｂに接続される情報線Ｌ２と電気的に接続されている導電部を備えて情報線Ｌ２を外部の情報路に接続するための情報路接続口１３ｂとが設けられている。ここに、電力路接続口１３ａおよび情報路接続口１３ｂは、それぞれ、導電部の配列や開口部の形状をシステムとして定形化（規格化）してある。
【００２６】
次にゲート装置１に接続される床用機能モジュール（以下、機能モジュールと略称する。）２ａについて図２および図３を参照して説明する。この機能モジュール２ａは、ゲート装置１に接続されるコネクタ部２０と、モジュラコネクタや同軸コネクタの接続部を有するコンセント部２１とをケーブル２２で接続して構成される。コネクタ部２０は扁平な直方体状の器体２３を備えており、この器体２３の一面には、電力路接続口１３ａおよび情報路接続口１３ｂにそれぞれ対応した形態に規格化された電力用コネクタ（以下、コネクタと略称する。）２４ａおよび情報用コネクタ（以下、コネクタと略称する。）２４ｂが形成されており、これらのコネクタ２４ａ，２４ｂをゲート装置１の各接続口１３ａ，１３ｂに接続することによって、ゲート装置１の器体１０の前面側にコネクタ部２０の器体２３を重ねた状態で取着される。ここで、ゲート装置１に接続される情報線Ｌ２は複数種類の機能モジュールに対応した情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、ゲート装置１を介して機能モジュール２ａに複数種類の情報信号を伝達することができるから、機能モジュール２ａに多種多様な機能を持つ機能モジュールを使用でき、多種多様な機能をもつシステムを実現することができる。
【００２７】
またコンセント部２１は細長の直方体状の器体２５を備えており、この器体２５の一面に、モジュラコネクタ（図示せず）が着脱自在に接続されるモジュラコネクタ接続部２６，２６と、同軸コネクタが着脱自在に接続される同軸コネクタ接続部２７とが長手方向に並べて配設されている。ここに、モジュラコネクタ接続部２６と同軸コネクタ接続部２７とで、通信機器やＴＶ受像機などの機器を接続し、情報線Ｌ２を通じて情報信号（通信系および映像系の信号）を授受するための情報用コンセント口が構成される。
【００２８】
コネクタ部２０およびコンセント部２１の器体２３，２５内には図５に示すような構成の回路が内蔵されている。この機能モジュール２ａは、ＬＡＮ配線に使用されるモジュラコネクタを接続して情報信号を伝送する機能や、ＴＶ配線に使用される同軸コネクタを接続してテレビ信号を供給する機能を有しており、以下の構成を備えている。すなわち機能モジュール２ａは、電力用コネクタ２４ａを介して接続される商用電源ＡＣを整流、平滑して安定した直流電圧からなる内部回路の動作電源（＋Ｖ）を得るＡＣ／ＤＣコンバータ３０と、情報用コネクタ２４ｂを介して接続される情報線Ｌ２を通じて情報信号の送受信を行う送受信部３１と、この送受信部３１で受信される情報信号からデータを取り込んで処理を行う演算処理部３２と、Ｉ／Ｏインターフェース３３を介して演算処理部３２との間でデータの授受を行って動作する機能部３４とを設けてあり、この機能部３４の構成が機能モジュールの種類によって異なるのである。
【００２９】
ここに、機能モジュール２ａは通信系および映像系のコンセント機能を有しており、その機能部３４は、Ｉ／Ｏインターフェース３３を介して演算処理部３２から入力された情報信号をメディアコンバートしてモジュラコネクタ接続部２６および同軸コネクタ接続部２７に出力するとともに、各コネクタ接続部２６，２７から入力される情報信号をメディアコンバートし、Ｉ／Ｏインターフェース３３を介して演算処理部３２に出力するメディアコンバータ３５で構成される。なお機能モジュール２ａの各回路ブロックの内、コンセント部２１の器体２５には機能部３４が収納され、その他の回路ブロックはコネクタ部２０の器体２３に収納されており、機能部３４と他の回路ブロックとの間ではケーブル２２を介して情報信号の授受および電源供給が行われている。このように本実施形態では機能モジュール２ａに複数の情報コンセント（コネクタ接続部２６，２７）を設けているので、機能モジュール２ａを設置した場所で、複数種類の情報信号の授受を行うことができる。
【００３０】
なお、本実施形態では機能モジュール２ａが通信系や映像系のコンセント機能を備えているが、機能モジュール２ａの機能を通信系や映像系のコンセント機能に限定する趣旨のものではなく、例えば図７（ａ）に示すように電源用コンセント口２８を設け、電源系のコンセント機能を機能モジュール２ａに付加しても良く、コンセント部２１により情報信号の授受に加えて電源供給を行うことができるので、外部機器を動作させるのに必要な電源と情報信号とを同じ場所から取り出すことができる。またコンセント部２１はケーブル２２を介してコネクタ部２０に接続されているので、コンセント部２１を所望の位置に移動させて使用することができ、使い勝手が向上する。
【００３１】
また例えば図６に示すように床１０２に設けたゲート装置１に接続する機能モジュールとして、電源プラグ用のコンセント部８１を備えた機能モジュール２ｂや、スピーカを備えた機能モジュール（図示せず）などを用いても良く、機能モジュールの種類に合わせて機能部３４の構成を適宜変更すればよい。また更に壁や天井に設けた埋込ボックス９０にも上述と同様のゲート装置１が取り付けられており、各ゲート装置１に所望の機能を有する機能モジュール２を接続できるようになっている。例えば図６に示すように、天井１００に設けたゲート装置１に接続する機能モジュールとしては、照明器具の引掛プラグに対応した引掛栓刃接続部８２を持つ引掛シーリングローゼット型の機能モジュール２ｃや、人感センサ等を備えたセンサ型機能モジュール（図示せず）、更に監視カメラを備えたカメラ型機能モジュール（図示せず）、更にＢＧＭ等のスピーカＳＰを持つ機能モジュール２ｄ等がある。また壁１０１に設けたゲート装置１に接続する機能モジュールとしては、照明器具などをオン／オフ操作するスイッチＳＷを備えた機能モジュール２ｅや、空調機器のコントローラ等の操作器型機能モジュール（図示せず）、モニタ装置Ｍを備えた機能モジュール２ｆがある。
【００３２】
而して、本発明の床用配線システムを用いた配線システムを使用するに当たっては、建物内の適所（天井１００、壁１０１又は床１０２）に埋設された埋込ボックス９０，９０ａ内に導入されている電力線Ｌ１、情報線Ｌ２をゲート装置１に接続した後、このゲート装置１を埋込ボックス９０，９０ａに取り付ける。次にゲート装置１の前面部に設けられた電力路接続口１３ａ及び情報路接続口１３ｂに対して、機能モジュール２ａ…の対応するコネクタ２４ａ，２４ｂを接続することにより、ゲート装置１の前面部を覆うようにして機能モジュール２ａ…を取り付ける。この取付状態において、各機能モジュール２ａ…はゲート装置１を介して電力線Ｌ１および情報線Ｌ２に接続され、電力線Ｌ１を介して電源が供給されるとともに、情報線Ｌ２を介して情報信号の授受が行えるのである。すなわち、機能モジュール２ａにおいては、機能部３４を構成するメディアコンバータ３５が、Ｉ／Ｏインターフェース３３を介して入力される情報信号をメディアコンバートして各接続部２６，２７に出力するとともに、各接続部２６，２７より入力される情報信号をメディアコンバートし、Ｉ／Ｏインターフェース３３を介して演算処理部３２に出力しており、各接続部２６，２７に接続された通信機器やＴＶ受像機などの機器と情報線Ｌ２との間で通信系や映像系の情報信号を授受できるようになっている。
【００３３】
なお、本発明の床配線用システムを用いる配線システムにおいて、情報信号を伝送する方式としては、ベースバンド伝送又はブロードバンド伝送の何れを採用しても良く、またプロトコルも何れでも良いが、音声、映像などを用いるインターホンの親機、子機との間にはＪＴ−Ｈ２３２パケットに基づいて音声・映像を相互に伝送することとし、また制御系にあっては操作側からの操作データにより１乃至複数の負荷を操作できるような１対１又は１対Ｎの対応が可能なユニキャスト或いはブロードキャストに対応する経路制御プロトコルを採用すれば良く、特に限定されるものではないので、説明は省略する。また、ゲート装置１間の使用プロトコルと、ゲート装置１に連なる機能モジュール２ａ…での使用プロトコルを異ならせ、例えばゲート装置１においてプロトコル変換を行うようにしても良い。
【００３４】
（実施形態２）
本発明の実施形態２について図８に基づいて説明する。上述の実施形態１では情報路と電力路とを別々にしているため、ゲート装置１には電力線Ｌ１と情報線Ｌ２とを夫々接続しているが、電力線搬送によって情報信号の伝送を行えば、電力路を情報路として用いることもできるため、配線を電力線Ｌ１のみとすることができる。つまり各埋込ボックス９０での先行配線は電力線Ｌ１のみとし、これに対応してゲート装置１の情報路接続口１３ｂを無くし、電力路接続口１３ａで情報路接続口１３ｂを兼用する。一方、機能モジュール２ａでは、コネクタ２４ａおよびゲート装置１を介して電力線Ｌ１に接続され、電力線搬送通信により情報信号を授受するＰＬＣモデム部３６を設けており、送受信部３１では、ＰＬＣモデム部３６を介して受信した情報信号を演算処理部３２に出力するとともに、演算処理部３２から入力された情報信号をＰＬＣモデム部３６から電力線搬送によって送信させている。尚、ＰＬＣモデム部３６以外の構成は実施形態１と同様であるので、共通する構成要素には同一の符号を付して、その説明は省略する。
【００３５】
本実施形態では機能モジュール２ａの回路を構成する各回路ブロックを、コンセント部２１の器体２５内部に収納してあり、コネクタ部２０からケーブル２２を介してＡＣ／ＤＣコンバータ部３０およびＰＬＣモデム部３６に電源が供給され、ＡＣ／ＤＣコンバータ部３０が各部の動作電源を生成するとともに、ＰＬＣモデム部３６が電力線搬送により情報信号の授受を行っている。而して、本実施形態では電力線Ｌ１のみで電源供給と情報信号の伝送とを行うことができ、情報線Ｌ２が不要になるので、配線を簡略化することができる。
【００３６】
ここで、機能部３４としては、実施形態１と同様に、通信系および映像系のコネクタ接続部２６，２７を設けてあり、各接続部２６，２７を用いて通信系および映像系の情報信号を授受することができるようになっている。また機能部３４として、通信系および映像系のコンセント機能に加えて電源用コンセント口を設けても良く、コネクタ部２０からケーブル２２を介して送られる電源をコンセント部２１に設けた電源用コンセント口に供給することで、コンセント部２１により情報信号の授受に加えて電源供給を行うことができる。したがって、外部機器を動作させるのに必要な電源と情報信号とを同じ場所から取り出すことができる。
【００３７】
また本実施形態では、実施形態１で説明した図７（ａ）に示す機能モジュール２ａと同様に、ゲート装置１を介して接続される電力線Ｌ１から供給される電源を外部負荷に供給するための電源用コンセント口２８を設けてあり、電源用コンセント口２８に接続される外部負荷に対して電源を供給することができる。したがって、コンセント部２１により情報信号の授受に加えて電源供給を行うことができるので、外部機器を動作させるのに必要な電源と情報信号とを同じ場所から取り出すことができる。またコンセント部２１はケーブル２２を介してコネクタ部２０に接続されているので、コンセント部２１を所望の位置に移動させて使用することができ、使い勝手が向上する。
【００３８】
尚、ＰＬＣモデム部３６で採用する電力線搬送の変調方式としては広帯域スペクトラム拡散方式、マルチキャリア方式、ＯＦＤＭ方式等各種方式の何れでも良いので、ここでは特に説明はしない。
【図面の簡単な説明】
【００３９】
【図１】本発明の床用配線システムを用いた配線システム全体のシステム構成図である。
【図２】同上に用いる機能モジュールを示し、（ａ）は正面図、（ｂ）は背面図である。
【図３】同上に用いる機能モジュールの施工状態を示した外観斜視図である。
【図４】同上に用いるゲート装置の施工状態を説明する分解斜視図である。
【図５】（ａ）は同上に用いるゲート装置および機能モジュールのブロック図、（ｂ）は機能モジュールの要部ブロック図である。
【図６】同上の使用状態を示した説明図である。
【図７】同上に用いるゲート装置および機能モジュールの他の構成を示すブロック図である。
【図８】実施形態２に用いるゲート装置および機能モジュールのブロック図である。
【符号の説明】
【００４０】
１  ゲート装置
２ａ〜２ｆ  機能モジュール
１３ａ  電力路接続口
１３ｂ  情報路接続口
２６  モジュラコネクタ接続部
２７  同軸コネクタ接続部
９０，９０ａ  埋込ボックス
Ｌ１  電力線
Ｌ２  情報線
【図１】
2007150618.tif 000003
【図２】
2007150618.tif 000004
【図３】
2007150618.tif 000005
【図４】
2007150618.tif 000006
【図５】
2007150618.tif 000007
【図６】
2007150618.tif 000008
【図７】
2007150618.tif 000009
【図８】
2007150618.tif 000010